(57)【要約】    【課題】安全性が高く、収納性に優れ、どこにでも設置できるフェンスを提供する。    【解決手段】袋状のカバー（１）を複数に区切り、カバー内部に段ボール等のパネル（３）を収納し、カバー（１）の裏側に面ファスナー（４）と右端を延長させるように面ファスナー（５）を設け、カバー（１）の各区画の底部に、面ファスナー等の留め具（８）を有する袋状のカバー（６）を設け、内部に段ボール等のパネル（７）を収納し、カバー（１）とカバー（６）のパネルの収納口にファスナー等の留め具（１１）を設けてなるフェンスを製作する。    【選択図】図４
2005137391.tif 000002
【特許請求の範囲】
【請求項１】
袋状のカバーを複数に区切り、内部に段ボール等のパネルを収納し、カバーの端に面ファスナー等の留め具を設け、カバーの両端を連結自在としたことを特徴とするフェンス。
【請求項２】
前記カバーの各区画の底部に、面ファスナー等の留め具を有する袋状のカバーを設け、内部に段ボール等のパネルを収納してなる請求項１記載のフェンス。
【請求項３】
前記カバーのパネルの収納口に、ファスナー等の留め具を設け、収納口を開閉自在としたことを特徴とする請求項１または２記載のフェンス
【請求項４】
複数のパネルを連結してなるフェンスにおいて、各パネルの底辺に、面ファスナー等の留め具を有するパネルを設けたフェンス。
【請求項５】
前記フェンスにおいて、風景やイラスト等の装飾を施したことを特徴とする請求項１から４のいずれかに記載のフェンス。
【発明の詳細な説明】
【技術分野】
【０００１】
この発明は、乳幼児の安全保護に用いるフェンスの形状に関する。
【背景技術】
【０００２】
従来の乳幼児の安全保護に用いるフェンスのひとつにベビーベッドがある。その構成は、棚上げされたベッドの縁に固定の柵を取り付け、脚部に車輪を設けることにより、転落防止と部屋内での移動を可能にしたものである（例えば、特許文献１参照。）。また、階段の昇降口やベランダへの出入り口のような危険地帯に行かせないようにするため、通行規制のできるフェンスを設置することも広く知られている。（例えば、特許文献２参照。）
【特許文献１】特許公開平０８−１０３３４７号
【特許文献２】登録実用新案第３０７１３９８号
【発明の開示】
【発明が解決しようとする課題】
【０００３】
しかしながら、以上の技術によれば、赤ちゃんが成長し、寝返りや這うことができる頃には、狭いベビーベッドではすぐに端にぶつかり、手や足にケガを負いかねない。また、赤ちゃんの動きを規制するため、成長の妨げになる恐れもある。更に、本体の重量が大きいうえ、組み立てに時間を要するため、出しっぱなしにせざるをえず、部屋を広く使いたいときに利便性が悪い。移動通行規制のフェンスに至っては、危険な場所を遮るには有効であるが、その内側にいれば安全という保障はなく、それ単体では安全保護の要をなさない。
【０００４】
そこで、この発明は、安全性が高く、収納性に優れ、どこにでも設置できるフェンスを提供することを課題とする。
【課題を解決するための手段】
【０００５】
以上の課題を解決するために、第一発明は、袋状のカバーを複数に区切り、内部に段ボール等のパネルを収納し、カバーの端に面ファスナー等の留め具を設け、カバーの両端を連結自在としたことを特徴とするフェンスである。
【０００６】
また、第二発明は、前記カバーの各区画の底部に、面ファスナー等の留め具を有する袋状のカバーを設け、内部に段ボール等のパネルを収納してなる請求項１記載のフェンスである。
【０００７】
また、第三発明は、前記カバーのパネルの収納口に、ファスナー等の留め具を設け、収納口を開閉自在としたことを特徴とする請求項１または２記載のフェンスである。
【０００８】
また、第四発明は、複数のパネルを連結してなるフェンスにおいて、各パネルの底辺に、面ファスナー等の留め具を有するパネルを設けたフェンスである。
【０００９】
また、第五発明は、前記フェンスにおいて、風景やイラスト等の装飾を施したことを特徴とする請求項１から４のいずれかに記載のフェンスである。
【発明の効果】
【００１０】
第一発明によれば、構成部品がカバーと段ボールという軽量なものであることと、各パネルの境目で屏風折りにできる構造から、収納性に優れたフェンスが提供できる。また、複数のパネルの展開状態を変化させることで、囲いの形状・大きさを変えることが可能となり、狭い場所から、いびつな形状の場所まで設置対応ができる。
【００１１】
第二発明によれば、第一発明のフェンスに、隣接するパネルの重なり代を面ファスナー等で連結することで形状維持ができる底板を設けたことにより、フェンス部のパネル間の折り曲げ角度が固定されるため、乳幼児程度の力では囲いの形状が変形しない強度を得られる。そのことから、乳幼児がフェンスを破壊して外へ出るといった危険性の無い、安全なフェンスが提供できる。
【００１２】
第三発明によれば、カバーにファスナーを取り付けたことでパネルの出し入れが自在になり、カバーを取り外して洗うといったことが容易にできるため衛生的である。
【００１３】
第四発明によれば、複数のパネルを連結してなるフェンスに、隣接するパネルの重なり代を面ファスナー等で連結することで形状維持ができる底板を設けたことにより、フェンス部のパネル間の折り曲げ角度が固定されるため、乳幼児程度の力では囲いの形状が変形しない強度を得られる。そのことから、乳幼児がフェンスを破壊して外へ出るといった危険性の無い、安全なフェンスが提供できる。
【００１４】
第五発明によれば、風景やイラスト等の装飾をフェンスに施すことで、赤ちゃんの情緒を安定させるとともに、檻に閉じ込める、といった暗い印象になりがちなフェンスを、赤ちゃんの遊び場的な、明るい印象に変えることができる。
【発明を実施するための最良の形態】
【００１５】
本発明の実施の形態を、図面を参照しながら説明する。図１は本発明の一実施の形態によるフェンスの正面図である。この図１において示すとおり、袋状のカバー（１）は布製であり、このカバー（１）を縫付け（２）により８箇所に区画分けし、内部に幅９００ミリ×高さ４５０ミリ×厚さ５ミリの段ボール（３）を収納する。また、カバー（１）の裏側に面ファスナー（４）と、右端を延長させるように面ファスナー（５）を縫付ける。さらに、カバー（１）の各区画の底辺部に、袋状のカバー（６）を縫付け、内部に幅９００ミリ×高さ２００ミリ×厚さ５ミリの段ボール（７）を収納し、カバー（６）の両端両面に面ファスナー（８）を取り付ける。
【００１６】
図２は本発明の一実施の形態によるフェンスの収納時の平面図である。この図２において示すとおり、カバー（１）は、縫付け（２）の部分で折れ曲がり、屏風折りに収納できる。また、囲いへの展開時には、面ファスナー（４）と面ファスナー（５）を重ねあわせることで、パネルの連結が容易にできる。
【００１７】
図３は本発明の一実施の形態によるフェンスの八角形展開時の平面図である。この図３において示すとおり、底部パネル（１０）は隣接する底部パネル（１０）と重なり合い、面ファスナー（８）により連結される。それにより、底板の形状と上部パネル（９）同士の連結部の折り曲げ角度が固定されるため、乳幼児程度の力では囲いの形状が変形しない強度を得られる。
【００１８】
図４は本発明の一実施の形態によるフェンスの斜視図である。この図４において示すとおり、カバー（１）及びカバー（６）にファスナー（１１）を取り付けたことで、段ボール（３）及び、段ボール（７）の出し入れが自在になる。
【００１９】
図５は本発明の一実施の形態によるフェンスの六角形展開時の斜視図である。この図５において示すとおり、面ファスナー（４）と面ファスナー（５）と重なり合わすことで上部パネルの広がりを抑えて固定ができる。
【００２０】
図６は本発明の一実施の形態によるフェンスの八角形展開時の斜視図である。
【００２１】
図７は本発明の一実施の形態によるフェンスのＬ形展開時の斜視図である。この図７において示すとおり、上部パネル（９）が一直線上に並ぶ状態では底部パネル（１０）同士の面ファスナーによる連結ができないため、強度的に安全フェンスとして成り立たない。そこで、面ファスナーを設けたＬ形金具（１２）を、直線連結箇所の面ファスナー（４）と底部パネル（１０）の面ファスナー部に取り付け、連結部の補強をする。
【００２２】
図８は本発明の一実施の形態によるフェンスの二連四角形展開時の斜視図である。
【図面の簡単な説明】
【００２３】
【図１】本発明の一実施の形態によるフェンスの正面図である。
【００２４】
【図２】本発明の一実施の形態によるフェンスの収納時の平面図である。
【００２５】
【図３】本発明の一実施の形態によるフェンスの八角形展開時の平面図である。
【００２６】
【図４】本発明の一実施の形態によるフェンスの斜視図である。
【００２７】
【図５】本発明の一実施の形態によるフェンスの六角形展開時の斜視図である。
【００２８】
【図６】本発明の一実施の形態によるフェンスの八角形展開時の斜視図である。
【００２９】
【図７】本発明の一実施の形態によるフェンスのＬ形展開時の斜視図である。
【００３０】
【図８】本発明の一実施の形態によるフェンスの二連四角形展開時の斜視図である。
【００３１】
【図９】従来技術を示す斜視図である。（特許公開平０８−１０３３４７号）
【００３２】
【図１０】従来技術を示す斜視図である。（登録実用新案第３０７１３９８号）
【符号の説明】
【００３３】
１    カバー                  ２    縫付け
３    段ボール                ４    面ファスナー
５    面ファスナー（右端部）  ６    カバー
７    段ボール                ８    面ファスナー（底部）  
９    上部パネル              １０  底部パネル  
１１  ファスナー              １２  Ｌ型金具  
【００３４】
上記符号は図１から図８に適用する。    
【図１】
2005137391.tif 000003
【図２】
2005137391.tif 000004
【図３】
2005137391.tif 000005
【図４】
2005137391.tif 000006
【図５】
2005137391.tif 000007
【図６】
2005137391.tif 000008
【図７】
2005137391.tif 000009
【図８】
2005137391.tif 000010
【図９】
2005137391.tif 000011
【図１０】
2005137391.tif 000012
【手続補正書】
【提出日】平成16年2月5日(2004.2.5)
【手続補正１】
【補正対象書類名】特許請求の範囲
【補正対象項目名】全文
【補正方法】変更
【補正の内容】
【特許請求の範囲】
【請求項１】
袋状のカバーを複数に仕切り、カバー内部にベニヤや段ボール等のパネルを収納し、カバー端部に紐や面ファスナー等の留め具を設け、カバーの両端を連結自在としたことで、屏風折の状態から多角形の立体に展開できることを特徴とするフェンス。
【請求項２】
前記カバーの各区画の底部に、紐や面ファスナー等の留め具を有する袋状のカバーを設け、その内部にベニヤや段ボール等のパネルを収納してなる請求項１記載のフェンス。
【請求項３】
前記カバーのパネルの収納口に、紐やファスナー等の留め具を設け、収納口を開閉自在としたことを特徴とする請求項１または２記載のフェンス。
【請求項４】
複数のパネルを連結してなるフェンスにおいて、各パネルの端部に面ファスナーを設け、パネルの開き角度に合わせて成形した、もしくは変形できる、面ファスナーを有する連結部品を、パネル同士の結合部分に重ね合わせることで連結固定をするフェンス。
【請求項５】
前記フェンスにおいて、風景やイラスト等の装飾を施し、オムツやガーゼ等を収納するポケットを設けたことを特徴とする請求項１から４のいずれかに記載のフェンス。
【手続補正２】
【補正対象書類名】明細書
【補正対象項目名】全文
【補正方法】変更
【補正の内容】
【発明の詳細な説明】
【技術分野】
【０００１】
この発明は、乳幼児の安全保護に用いるフェンスの形状に関する。
【背景技術】
【０００２】
従来の乳幼児の安全保護に用いるフェンスのひとつにベビーベッドがある。その構成は、棚上げされたベッドの縁に固定の柵を取り付け、脚部に車輪を設けることにより、転落防止と部屋内での移動を可能にしたものである（例えば、特許文献１参照。）。また、階段の昇降口やベランダへの出入り口のような危険地帯に行かせないようにするため、通行規制のできるフェンスを設置することも広く知られている。（例えば、特許文献２参照。）
【特許文献１】特許公開平０８−１０３３４７号
【特許文献２】登録実用新案第３０７１３９８号
【発明の開示】
【発明が解決しようとする課題】
【０００３】
しかしながら、以上の技術によれば、赤ちゃんが成長し、寝返りや這うことができる頃には、狭いベビーベッドではすぐに端にぶつかり、手や足にケガを負いかねない。また、赤ちゃんの動きを規制するため、成長の妨げになる恐れもある。更に、本体の重量が大きいうえ、組み立てに時間を要するため、出しっぱなしにせざるをえず、部屋を広く使いたいときに利便性が悪い。移動通行規制のフェンスに至っては、危険な場所を遮るには有効であるが、その内側にいれば安全という保障はなく、それ単体では安全保護の要をなさない。
【０００４】
そこで、この発明は、安全性が高く、収納性に優れ、どこにでも設置できるフェンスを提供することを課題とする。
【課題を解決するための手段】
【０００５】
以上の課題を解決するために、第一発明は、袋状のカバーを複数に仕切り、カバー内部にベニヤや段ボール等のパネルを収納し、カバー端部に紐や面ファスナー等の留め具を設け、カバーの両端を連結自在としたことで、屏風折の状態から多角形の立体に展開できることを特徴とするフェンスである。
【０００６】
また、第二発明は、前記カバーの各区画の底部に、紐や面ファスナー等の留め具を有する袋状のカバーを設け、その内部にベニヤや段ボール等のパネルを収納してなる請求項１記載のフェンスである。
【０００７】
また、第三発明は、前記カバーのパネルの収納口に、紐やファスナー等の留め具を設け、収納口を開閉自在としたことを特徴とする請求項１または２記載のフェンスである。
【０００８】
また、第四発明は、複数のパネルを連結してなるフェンスにおいて、各パネルの端部に面ファスナーを設け、パネルの開き角度に合わせて成形した、もしくは変形できる、面ファスナーを有する連結部品を、パネル同士の結合部分に重ね合わせることで連結固定をするフェンスである。
【０００９】
また、第五発明は、前記フェンスにおいて、風景やイラスト等の装飾を施し、オムツやガーゼ等を収納するポケットを設けたことを特徴とする請求項１から４のいずれかに記載のフェンスである。
【発明の効果】
【００１０】
第一発明によれば、構成部品がカバーと段ボールという軽量なものであることと、各パネルの境目で屏風折りにできる構造から、収納性に優れたフェンスが実現できる。また、複数のパネルの展開状態を変化させることで、囲いの形状・大きさを変えることが可能となり、狭い場所から特殊な形状の場所まで設置対応ができる。
【００１１】
第二発明によれば、第一発明のフェンスに、隣接するパネルの重なり代を面ファスナー等で連結することで形状維持ができる底板を設けたことにより、フェンス部のパネル間の開き角度が固定されるため、乳幼児程度の力では囲いの形状が変形しない強度を得られる。そのことから、赤ちゃんがフェンスを破壊して外へ出るといった危険性の少ない安全なフェンスが提供できる。
【００１２】
第三発明によれば、第一発明及び第二発明のフェンスのカバーに、ファスナーを取り付けたことでパネルの出し入れが自在になり、カバーを取り外して洗うといったことが容易にできるため衛生的である。これは、何でも舐める赤ちゃんにとって、健康を保ち病気を防ぐことに繋がる。
【００１３】
第四発明によれば、複数のパネルを連結してなるフェンスにおいて、各パネルの両端とパネルを連結するための継ぎ手部品に面ファスナーを設けたことにより、パネルの端同士を突き合わせ、継ぎ手部品を装着する、という簡単な作業でパネルの連結ができる。また、ネジ等の部品を用いない為、組み立てに専用工具が不要であり、小部品の脱落による誤飲もない。
【００１４】
第五発明によれば、風景やイラスト等の装飾をフェンスに施すことにより、赤ちゃんの情緒を安定させることができ、「檻に閉じ込める」といった暗い印象になりがちなフェンスに、赤ちゃんの遊び場的な明るい印象をもたすことができる。また、オムツやガーゼ等を収納するポケットを設けたことで、赤ちゃんの世話に必要な小物をフェンス内に備えておくことができる。
【発明を実施するための最良の形態】
【００１５】
本発明の実施の形態を、図面を参照しながら説明する。図１は本発明の一実施の形態によるフェンスの正面図である。この図１において示すとおり、袋状のカバー（１）は布製であり、このカバー（１）を縫付け（２）により８箇所に区画分けし、内部に幅１１００ミリ×高さ４５０ミリ×厚さ８ミリ程の段ボール（３）を収納する。また、カバー（１）の裏側に面ファスナー（４）と、右端を延長させるように面ファスナー（５）を縫付ける。さらに、カバー（１）の各区画の底辺部に、袋状のカバー（６）を縫付け、その内部に幅１１００ミリ×高さ２００ミリ×厚さ８ミリ程の段ボール（７）を収納し、カバー（６）の両端両面に面ファスナー（８）を取り付ける。
【００１６】
図２は本発明の一実施の形態によるフェンスの収納時の平面図である。この図２において示すとおり、カバー（１）は、縫付け（２）の部分で折れ曲がり、屏風折りに収納できる。また、囲いへの展開時には、面ファスナー（４）と面ファスナー（５）を重ねあわせることで、パネルの連結が容易にできる。
【００１７】
図３は本発明の一実施の形態によるフェンスの八角形展開時の平面図である。この図３において示すとおり、底部パネル（１０）は隣接する底部パネル（１０）と重なり合い、面ファスナー（８）により連結される。それにより、底板の形状と上部パネル（９）同士の連結部の開き角度が固定されるため、乳幼児程度の力では囲いの形状が変形しない、安全フェンスとして十分な強度を得られる。さらに、底部に取り外しのできるマット（１３）で底部パネル（１０）の重なり代を覆うことにより、赤ちゃんが底部の連結を外す危険性が減少する。
【００１８】
図４は本発明の一実施の形態によるフェンスの斜視図である。この図４において示すとおり、カバー（１）及びカバー（６）にファスナー（１１）を取り付けたことで、段ボール（３）及び、段ボール（７）の出し入れが自在になる。
【００１９】
図５は本発明の一実施の形態によるフェンスの六角形展開時の斜視図である。この図５において示すとおり、面ファスナー（４）と面ファスナー（５）とを重なり合わすことで上部パネルの広がりを抑えて固定できる。それにより、側を通行する際に足を引っ掛けて転倒するといった危険がなくなる。
【００２０】
図６は本発明の一実施の形態によるフェンスの八角形展開時の斜視図である。この状態でのフェンスは約３畳半の広さがある為、赤ちゃんを中で遊ばせながら、保護者も中で仮眠をとる、といったことも可能である。また、ポケット（１５）を設けたことで、オムツやガーゼ等、赤ちゃんの世話に必要な小物をフェンスに備えておくことができる。
【００２１】
図７は本発明の一実施の形態によるフェンスのＬ形展開時の斜視図である。この図７において示すとおり、上部パネル（９）が一直線上に並ぶ状態では底部パネル（１０）同士の面ファスナーによる連結ができないため、強度的に安全フェンスとして成り立たない。そこで、面ファスナーを設けたＬ形金具（１２）を、直線連結箇所の面ファスナー（４）と底部パネル（１０）の面ファスナー部に取り付けることにより、連結部の補強がなされ強度不足が解消できる。
【００２２】
図８は本発明の一実施の形態によるフェンスの二連四角形展開時の斜視図である。
図９は本発明の一実施の形態によるフェンスの展開時の平面図である。この図９において示すとおり、フェンスの開き角度を固定する底板の代わりに、面ファスナーを接着した固定金具（１４ａ〜１４e）をフェンス連結部に装着することでも開き角度の固定ができる。さらに、金具の曲げ角度を変えたものを数種類（９０°、１２０°、１３５°、１８０°、２７０°等）用いることでフェンスの形状にバリエーションをもたせることができる。
【図面の簡単な説明】
【００２３】
【図１】本発明の一実施の形態によるフェンスの正面図である。
【００２４】
【図２】本発明の一実施の形態によるフェンスの収納時の平面図である。
【００２５】
【図３】本発明の一実施の形態によるフェンスの八角形展開時の平面図である。
【００２６】
【図４】本発明の一実施の形態によるフェンスの斜視図である。
【００２７】
【図５】本発明の一実施の形態によるフェンスの六角形展開時の斜視図である。
【００２８】
【図６】本発明の一実施の形態によるフェンスの八角形展開時の斜視図である。
【００２９】
【図７】本発明の一実施の形態によるフェンスのＬ形展開時の斜視図である。
【００３０】
【図８】本発明の一実施の形態によるフェンスの二連四角形展開時の斜視図である。
【００３１】
【図９】本発明の一実施の形態によるフェンスの展開時の平面図である。
【００３２】
【図１０】従来技術を示す斜視図である。（特許公開平０８−１０３３４７号）
【図１１】従来技術を示す斜視図である。（登録実用新案第３０７１３９８号）
【符号の説明】
【００３３】
１    カバー                    ２    縫付け
３    段ボール                  ４    面ファスナー
５    面ファスナー（右端部）    ６    カバー
７    段ボール                  ８    面ファスナー（底部）
９    上部パネル              １０    底部パネル
１１    ファスナー              １２    Ｌ型金具
１３    マット １４ａ  固定金具（９０°）
１４ｂ  固定金具（１２０°） １４ｃ  固定金具（１３５°）
１４ｄ  固定金具（１８０°） １４ｅ  固定金具（２７０°）
１５    ポケット
【００３４】
上記符号は図１から図９に適用する。
【手続補正３】
【補正対象書類名】図面
【補正対象項目名】全図
【補正方法】変更
【補正の内容】
【図１】
2005137391.tif 000013
【図２】
2005137391.tif 000014
【図３】
2005137391.tif 000015
【図４】
2005137391.tif 000016
【図５】
2005137391.tif 000017
【図６】
2005137391.tif 000018
【図７】
2005137391.tif 000019
【図８】
2005137391.tif 000020
【図９】
2005137391.tif 000021
【図１０】
2005137391.tif 000022
【図１１】
2005137391.tif 000023